(57)【要約】  レーザシステムのパージシステムが記載されている。このパージシステムは、乾燥剤を収容したカートリッジであって、レーザシステムの筺体に取外し可能に取り付けるよう構成したカートリッジを具える。カートリッジは、カートリッジ内に収容された乾燥剤に流体が流れる手段を提供する第１のメッシュ層を具える。パージシステムは、第１のメッシュ層の上に配置された膜をさらに具える。したがって、パージシステムは、レーザシステムを受動的にパージする手段を提供し、それゆえ、動作にポンプを使用する必要がない。さらに、取外し可能なカートリッジを使用することで、乾燥剤を乾燥または交換するのに必要な期間に、配置されているレーザシステムの動作不能時間を短縮する利点もある。【選択図】図１
2018525824.tif 000002
【特許請求の範囲】
【請求項１】
レーザシステムに適したパージシステムにおいて、乾燥剤を収容し、レーザシステムの筺体に取外し可能に取り付けるように構成したカートリッジを具え、前記カートリッジが、前記カートリッジ内に収容した乾燥剤へ流体が流れる手段を提供する第１のメッシュ層を具え、前記パージシステムが、前記第１のメッシュ層の上に配置された膜をさらに具える、ことを特徴とするパージシステム。
【請求項２】
請求項１に記載のパージシステムにおいて、前記乾燥剤が固体ゲッタ材料を含むことを特徴とするパージシステム。
【請求項３】
請求項１または２に記載のパージシステムにおいて、前記パージシステムが、前記第１のメッシュ層の上に前記膜を配置するフレームを具えることを特徴とするパージシステム。
【請求項４】
請求項１乃至３の何れか１項に記載のパージシステムにおいて、前記膜が、ポリテトラフルオロエチレン（ＰＴＦＥ）を含むことを特徴とするパージシステム。
【請求項５】
請求項１乃至４の何れか１項に記載のパージシステムにおいて、前記パージシステムが、流体検出器をさらに具えることを特徴とするパージシステム。
【請求項６】
請求項５に記載のパージシステムにおいて、前記流体検出器が湿度計を具えることを特徴とするパージシステム。
【請求項７】
請求項１乃至６の何れか１項に記載のパージシステムにおいて、前記パージシステムが、流体再循環回路をさらに具えており、当該流体再循環回路が、前記カートリッジの出力バルブに取り付ける導管と、前記出力バルブから流体をポンピングする手段を提供するポンプとを具えることを特徴とするパージシステム。
【請求項８】
請求項７に記載のパージシステムにおいて、前記流体再循環回路が、前記導管内に配置されて粒状物質をフィルタする手段を提供するフィルタユニットをさらに具えることを特徴とするパージシステム。
【請求項９】
請求項８に記載のパージシステムにおいて、前記フィルタユニットが、高性能粒子捕捉器（ＨＥＰＡ）フィルタを具えることを特徴とするパージシステム。
【請求項１０】
請求項７乃至９の何れか１項に記載のパージシステムにおいて、前記流体再循環回路が、前記導管内に配置した有機蒸気捕捉フィルタをさらに具えることを特徴とするパージシステム。
【請求項１１】
請求項９に記載のパージシステムにおいて、前記有機蒸気捕捉フィルタが、前記出力バルブと前記フィルタユニットとの間に配置されており、有機蒸気を捕捉する手段を提供することを特徴とするパージシステム。
【請求項１２】
請求項７乃至１１の何れか１項に記載のパージシステムにおいて、前記流体再循環回路が、前記導管内に位置するバルブをさらに具えることを特徴とするパージシステム。
【請求項１３】
請求項１乃至１２の何れか１項に記載のパージシステムを具えることを特徴とするレーザシステム。
【請求項１４】
請求項１３に記載のレーザシステムにおいて、前記レーザシステムが、前記カートリッジおよび前記膜を収容するのに適したキャビティであって、前記レーザシステムの筐体内に配置されたキャビティを具えることを特徴とするレーザシステム。
【請求項１５】
請求項１３または１４に記載のレーザシステムにおいて、前記レーザシステムが、前記流体再循環回路の前記導管に取付けるのに適した入口バルブを具えることを特徴とするレーザシステム。
【請求項１６】
レーザシステムをパージする方法において、前記方法が、
−レーザシステムの筺体にカートリッジを取り外し可能に取り付けて、前記筺体の内部容積から前記カートリッジ内に収容された乾燥剤への流体の流れを確立するステップと、
−前記流体の流れの中に膜を配置するステップであって、前記膜が前記カートリッジとレーザ共振器との間に配置されているステップと、
を具えることを特徴とする方法。
【請求項１７】
請求項１６に記載のレーザシステムをパージする方法において、前記カートリッジが、前記筺体内に位置するキャビティ内に取外し可能に取付けられていることを特徴とする方法。
【請求項１８】
請求項１６または１７に記載のレーザシステムをパージする方法において、前記カートリッジと前記レーザシステムとの間に前記膜を配置するステップが、前記キャビティ内に配置したフレーム内に前記膜を配置するステップを具えることを特徴とする方法。
【請求項１９】
前記１６乃至１８の何れか１項に記載のレーザシステムをパージする方法において、前記方法が、前記筺体の内部容積内の流体内容物を監視するステップをさらに具えることを特徴とする方法。
【請求項２０】
請求項１９に記載のレーザシステムをパージする方法において、前記監視される流体が、水蒸気であることを特徴とする方法。
【請求項２１】
請求項１６乃至１８の何れか１項に記載のレーザシステムをパージする方法において、前記方法が、前記カートリッジから抽出された流体を前記筺体の内部容積に再循環させるステップをさらに具えることを特徴とする方法。
【請求項２２】
請求項２１に記載のレーザシステムをパージする方法において、粒状物質が、前記再循環された流体からフィルタされることを特徴とする方法。
【請求項２３】
請求項２１または２２に記載のレーザシステムをパージする方法において、有機蒸気が前記再循環された流体からフィルタされることを特徴とする方法。
【請求項２４】
請求項１６乃至２３の何れか１項に記載のレーザシステムをパージする方法において、前記方法が、前記筺体の内部容積に不活性ガスを供給するステップを具えることを特徴とする方法。
【請求項２５】
本書において実質的に記載され、図１および図２におよび図示されたパージシステム。
【請求項２６】
本書において実質的に記載され、図４に図示されたパージシステム。
【請求項２７】
本書において実質的に記載され、図３に図示されたレーザシステム。
【請求項２８】
本書において実質的に記載され、図５に図示されたレーザシステム。
【発明の詳細な説明】
【技術分野】
【０００１】
本発明は、光学の分野に関する。より詳細には、レーザ共振器（例えば、超高速レーザ共振器を囲む筐体）または光場増強キャビティを有する特定の用途におけるレーザシステムのパージシステムに関する。
【背景技術】
【０００２】
超高速レーザは、一般的に、持続時間が約１００ピコ秒（ｐｓ）から数フェムト秒（ｆｓ）のパルスで出力放射線を放出するレーザであるとみなされている。一般的な超高速レーザの１つはチタンサファイアレーザであり、これはおよそ７００ナノメートル（ｎｍ）から１０００ｎｍの間の波長で出力放射線を放出するように構成できる。この放出されるパルスは、しばしば比較的低いエネルギを有するが、共振器内の特定の位置において非常に高いピーク電力を示すことがある。
【０００３】
検査をしないままにしておくと、このようなレーザによって放出されるこれらの非常に高いピーク出力は、共振器内に配置した光学部品に汚染および／または損傷が急速に生じることがある。光学部品の汚染および／または損傷は、部品の光学面上または光学面内の欠陥によって悪化する可能性がある。したがって、このような部品は、通常、１またはそれ以上の保護光学コーティングを具えている。
【０００４】
このような光学コーティングは、それ自体が、共振器内に存在する粒状物質、凝縮物、蒸気などの存在により汚染および／または損傷する可能性があることが知られている。
【０００５】
これらの厄介な汚染物質の問題に対処するため、商業用レーザ製造業者がクリーンルーム条件でレーザを組み立てることは珍しいことではない。これらの状況では、レーザの光共振器は、粒子状および蒸気状の汚染物質の侵入を最小限に抑えるため、十分に密閉された筐体内に配置される。次いで、筐体は、密閉する前に、例えばフィルタされた乾燥窒素、乾燥空気などを用いてパージするのが一般的である。
【０００６】
例えば、米国特許第６，６７１，３０３号、米国特許第６，７９８，８１３号および米国特許第７，２３９，６５６号を参照すると、このようなシステムは、閉ループパージシステムを組み込むことで、商業用レーザの動作寿命をさらに長くすることが知られている。上述の閉ループパージシステムは、ポンプを使用し、共振器を収容する筐体からガスをまず抽出する。次いで、抽出されたガスを、乾燥剤、有機蒸気捕捉材料、および粒状物質フィルタを具えるパージシステムに通す。その後最後に、パージされた抽出ガスを、共振器を収容する筒体に戻す。
【０００７】
動作時間の経過後、レーザが配置されている周囲の雰囲気、またはレーザの動作条件に応じて、乾燥剤が水蒸気で飽和状態になることが知られている。この時、一連のバルブを用いて、閉ループパージシステムの通常動作を停止させ、乾燥ガスを乾燥剤に向けることにより、この材料を蘇生または再生するようにする。
【０００８】
上述の閉ループパージシステムを使用するレーザシステムには、いくつかの欠点がある。第１に、乾燥剤を乾燥させる手順が、著しい動作不能時間となり得る。さらに、乾燥剤の効果が低下するため、乾燥剤を完全に交換する必要がある。このような閉ループパージシステムでは、乾燥剤の完全な交換が容易に行われず、熟練していないオペレータは、しばしば共振器の筐体ハウジングを周辺雰囲気に露出させることがある。
【０００９】
上述の閉ループパージシステムの第２の欠点は、専用ポンプに動作が依存していることである。このような構成要素は、レーザシステムの操作および製造を複雑にし、全体のコストを高くする。
【００１０】
このようなシステムのコストは、有機蒸気捕捉材料および粒状物質フィルタを閉ループ内に組み込む必要があること、および乾燥剤を乾燥させるための別個の一体化システムによりさらに増加する。
【００１１】
したがって、本発明の一態様の目的は、当技術分野で知られているレーザ共振器の閉ループパージシステムの前述の欠点を事前に除去するか、少なくとも緩和することにある。
【発明の概要】
【００１２】
本発明の第１の態様によれば、乾燥剤を収容したカートリッジであって、レーザシステムの筺体に取外し可能に取り付けるように構成したカートリッジを具え、このカートリッジが、カートリッジ内に収容された乾燥剤に流体を流す手段を提供する第１のメッシュ層を具えるレーザシステム用のパージシステムが提供されており、このパージシステムは、第１のメッシュ層の上に配置された膜をさらに具える。
【００１３】
したがって、パージシステムは、動作にポンプを使用する必要がないため、レーザシステムの光キャビティまたは共振器を受動的にパージする手段を提供する。さらに、取外し可能なカートリッジの使用により、乾燥剤を乾燥させるまたは交換するのに必要な期間に、カートリッジが配置されるレーザシステムの動作不能時間が短縮されるという利点を持つ。
【００１４】
乾燥剤は、固体ゲッタ材料を含むことが好ましい。好ましくは、乾燥剤はシリカを含む。
【００１５】
パージシステムは、第１のメッシュ層の上に膜を配置するフレームを具えていてもよい。好ましくは、カートリッジを筺体から取り外したときに、フレームにより膜が適切な位置に残ることができる。
【００１６】
膜は、好ましくは、直径約０．２ミクロンの孔を具える。好ましくは、膜は、ポリテトラフルオロエチレン（ＰＴＦＥ）でできている。
【００１７】
好ましくは、パージシステムは、流体検出器をさらに具える。流体検出器を使用して、筺体の内部容積内の流体含量を測定する手段を提供する。流体検出器は好ましくは湿度計を具える。
【００１８】
パージシステムは、流体再循環回路をさらに具えており、この流体再循環回路は、カートリッジの出力バルブに取り付けた導管と、出力バルブから流体をポンピングする手段を提供するポンプとを具える。この実施形態では、パージシステムは、レーザ共振器を能動的にパージする手段を提供する。
【００１９】
好ましくは、流体再循環回路は、導管内に配置して粒状物質をフィルタする手段を提供するフィルタユニットをさらに具える。フィルタユニットは、高性能粒子捕捉器（ＨＥＰＡ）フィルタを具えていてもよい。
【００２０】
好ましくは、流体再循環回路は、導管内に配置した有機蒸気捕捉フィルタをさらに具える。有機蒸気捕捉フィルタは、好ましくは、出力バルブとフィルタユニットとの間に配置され、有機蒸気を捕捉する手段を提供する。
【００２１】
流体再循環回路はさらに、導管内に配置したバルブを具えてもよい。このバルブを用いて、不活性ガス供給源を導管に接続する手段を提供する。
【００２２】
本発明の第２の態様によれば、レーザシステムが提供されており、これは本発明の第１の態様によるパージシステムを具える。
【００２３】
レーザシステムは、最も好ましくは、レーザシステムの筺体と共に配置され、カートリッジおよび膜を収容するのに適したキャビティを具える。
【００２４】
レーザシステムは、任意に、流体再循環回路の導管に取り付けるのに適した入口バルブを具える。
【００２５】
レーザシステムは、チタンサファイアレーザシステムを具えていてもよい。代替的に、レーザシステムは、光場増強キャビティを具えていてもよい。しかしながら、パージシステムは、水蒸気の存在に影響されることがあるレーザシステムを使用することができる。
【００２６】
本発明の第２の態様の実施形態は、本発明の第１の態様の好ましいまたは任意の特徴を実施する特徴を具えており、またはその逆であってもよい。
【００２７】
本発明の第３の態様によれば、レーザシステムをパージする方法が提供されており、当該方法は、
−レーザシステムの筺体にカートリッジを取り外し可能に取り付けてレーザシステムの筺体の内部容積からカートリッジ内に収容された乾燥剤に向かう流体の流れを確立するステップと、
−流体の流れの中に膜を配置するステップであって、その膜がカートリッジとレーザ共振器との間に位置しているステップと、
を具える。
【００２８】
したがって、上述の方法は、レーザシステムの筺体を受動的にパージする手段を提供する。
【００２９】
最も好ましくは、カートリッジは、筺体内に位置するキャビティ内に取り外し可能に取り付けられる。
【００３０】
カートリッジとレーザ共振器との間に膜を配置するステップが、キャビティ内に位置するフレーム内に膜を配置するステップを具えることが好ましい。
【００３１】
レーザシステムをパージする方法は、筺体の内部容積内の流体内容物を監視するステップをさらに具えていてもよい。最も好ましくは、監視する流体が水蒸気である。
【００３２】
レーザシステムをパージする方法は、カートリッジから抽出された流体を筐体の内部容積に再循環させるステップをさらに具えていてもよい。この実施形態において、パージシステムは、レーザシステムの筺体を能動的にパージする手段を提供している。
【００３３】
任意に、再循環流体から粒状物質をフィルタする。
【００３４】
任意に、再循環流体から有機蒸気をフィルタする。
【００３５】
任意選択的に、レーザシステムをパージする方法は、筺体の内部容積に不活性ガスを供給するステップを具えていてもよい。
【００３６】
本発明の第３の態様の実施形態は、本発明の第１の態様または第２の態様の好ましいまたは任意の特徴を実施する特徴を具えていてもよく、またはその逆もいえる。
【図面の簡単な説明】
【００３７】
本発明の様々な実施形態を、図面を参照して例示として説明する。
【図１】図１は、本発明の一実施形態によるレーザ共振器のパージシステムの平面図である。
【図２】図２は、図１のパージシステムの斜視図である。
【図３】図３は、図１および図２のパージシステムを具えるレーザシステムの平面図である。
【図４】図４は、レーザシステムの代替的なパージシステムの平面図である。
【図５】図５は、図１および図２のパージシステムを具える代替的なレーザシステムの平面図である。
【００３８】
以下の説明において、同じの部品は、明細書および図面を通して同じ符号で示す。図面は必ずしも縮尺通りではなく、本発明の実施形態の詳細および特徴をよりよく説明するため、特定の部分の比率は誇張されている。
【発明を実施するための形態】
【００３９】
図１および図２を参照してレーザシステム２のパージシステム１を説明する。特に図１および図２は、それぞれ、本発明の実施形態によるレーザシステム２の筺体３内に位置するパージシステム１の平面図および斜視図である。
【００４０】
パージシステム１は、筺体３に形成されたキャビティ５内に取り外し可能に取り付けられたカートリッジ４を具える。カートリッジ４は、金属または他の適切な材料で作ることができる。ここで説明する実施形態では、４つのねじ６を使ってカートリッジ４を筺体３のキャビティ５内に保持している。留め金および／または締まり嵌めのようなその他の機械的手段、またはそれらの組み合わせを用いてカートリッジ４を筐体３のキャビティ５内に保持することは自明である。
【００４１】
カートリッジ４の遠位側（すなわち、筺体３の内部容積７と流体連通する位置にある側）に、第１のメッシュ層８を具える。第１のメッシュ層８の機能は２つある。その第１の例は、第１のメッシュ層８を使用してカートリッジ４内の乾燥剤９を保持することである。さらに、第１のメッシュ層８を使用して、筺体３の内部容積７からカートリッジ内に収容された乾燥剤９への拡散する効果を介して、流体（例えば空気）を第１のメッシュ層８を通過させる手段を提供している。
【００４２】
乾燥剤９は、任意の適切な固体ゲッタ材料を含むのが好ましい。好ましくは、乾燥剤９はシリカを含む。
【００４３】
パージシステム１は、膜１０をさらに具えていてもよく、この膜１０は使用時にカートリッジ４と筐体３の内部容積７との間に配置されるよう、筐体３のフレーム１１内にて保持されている。膜１０は、好ましくは０．２ミクロンオーダの直径の孔を含む。好ましくは、この膜はポリテトラフルオロエチレン（ＰＴＦＥ）から作られる。
【００４４】
第２のメッシュ層１２を使用して、膜１０に物理的な保護を提供する。さらに、筺体３の内部容積７からカートリッジ４内に収容された乾燥剤９に向かって流体が拡散する効果を用いて、流体（例えば空気）が第２のメッシュ層１２を通過する。したがって、膜１０は、筐体３の内部容積７に微粒子（例えば、塵埃）が入らないように保護しつつ、カートリッジ４をキャビティ５から取り外すときに、流体が筺体３の内部容積７へと入るのを制限する。
【００４５】
パージシステム１は、流体検出器１３をさらに具えていてもよい。流体検出器１３を用いて、筐体３の内部容積７内の流体内容物を測定する手段を提供する。好ましくは、流体検出器１３は、筺体３の内部容積７内の水分含量を測定する湿度計を具える。
【００４６】
例として、図３は、図１および図２のパージシステム１を具えるチタンサファイアレーザシステム１４の平面図である。レーザシステム１４のレーザ共振器１５は、第１のミラー１６と、第２のミラー１７と、第３のミラー１８と、出力結合器１９とにより画定される実質的にボウタイリングキャビティの形状を示しており、そのすべてが、機械的に安定した筺体３内に配置されている。チタンサファイア利得媒質２０が、第１のミラー１６と第２のミラー１７との間の、共振器１５内に配置されている。チタンサファイア利得媒質２０は、ポンプビーム２１により第１のミラー１６を介して光学的にポンピングされる。
【００４７】
当業者に知られているように、共振器１５は、一方向に動作を提供し、波長選択および走査を可能にするさらなる光学部品を具えていてもよい。
【００４８】
チタンサファイア内の光吸収が約４００ｎｍから約６００ｎｍの広い波長範囲にわたって生じる場合、利得媒質２０は市販されている連続波「緑色」レーザ、例えば５３２ｎｍのダイオード励起固体レーザ源（図示せず）によって光学的にポンピングされる。本明細書で説明した実施形態では、利得媒質２０のポンピングは、第１ミラー１６を通して行われる。
【００４９】
チタンサファイアレーザシステム１４の動作中、パージシステム１は、受動的な動作モードで作動する。この動作モードでは、流体、例えば水蒸気は、第２のメッシュ層１２、膜１０および第１のメッシュ層８を通って拡散し、乾燥剤９と接触して吸収される。
【００５０】
次いで、流体検出器１３を使用して、筐体３の内部容積７内の水分含量を監視することができる。監視された水分含量の値が所定の値を上回ると、オペレータに、乾燥剤９が飽和状態であり、再生または交換する必要があることを知らせる。
【００５１】
カートリッジ４を使用することで、オペレータにとってこのプロセスが比較的簡単になることが認識される。オペレータは、カートリッジ４をキャビティ５から単に取り外すことが求められる。この段階で、カートリッジ４を、オーブン内に置いて、乾燥剤９を加熱して乾燥させ、パージシステム１内で再度使用できるようにする。上述したように、膜１０は、筺体３の内部容積７を微粒子（例えば塵埃）から保護する手段を提供しつつ、カートリッジ４を一時的にキャビティ５から取り外したとき、流体が筺体３の内部容積７に入るのを制限する。
【００５２】
パージシステム１は、第１のカートリッジ４を乾燥させている間に、パージシステム１に第２のカートリッジ４を代用して、膜１０によって筺体３の内部容積７へ提供される保護に依存する時間を最小にできることは自明である。
【００５３】
図４を参照してパージシステム１ｂの代替の実施形態を説明する。パージシステム１ｂは、上述のパージシステム１ｂと共通の多くの特徴を具えており、したがって、同様の符号を用いて同様の構成部品を示す。
【００５４】
図４から分かるように、パージシステム１ｂは、再循環回路２２をさらに具える。再循環回路２２は、カートリッジ４の近位側に位置する出力バルブ２４と、筺体３の側壁内に位置する入力バルブ２５との間に配置された導管２３を具える。したがって、再循環回路２２は、出力バルブ２４と入力バルブ２５の両方が開位置にあるとき、カートリッジ４と筺体３の内部容積７との間に設けた流体連通手段を提供している。
【００５５】
再循環回路２２は、導管２３内に位置するポンプ２６をさらに具える。ポンプ２６は、筺体３の内部容積７から流体（例えば、空気）をポンピングする手段を提供する。
【００５６】
パージシステム１ｂは、出力バルブ２４と入力バルブ２５の両方が開位置にあり、ポンプ２６が作動しているときに、動作モードで作動する。このとき、筺体３の内部容積７の流体の体積は、パージシステム１ｂを通って矢印２７で示す方向に再循環され、レーザ共振器１５をパージするのにかかる時間を短縮する。
【００５７】
好ましくは、再循環回路２２は、導管２３内に位置するフィルタユニット２８をさらに具える。フィルタユニット２８は、粒状物質をフィルタする手段を提供する。フィルタユニット２８は、好ましくは、約０．５ミクロン以上のサイズの粒子を捕捉することができ、乾燥剤９からの粒状物質が、筐体３の内部容積７に取りこまれる可能性を最小にする。フィルタユニット２８は、 高性能粒子捕捉器（ＨＥＰＡ）フィルタである。
【００５８】
好ましくは、再循環回路２２は、導管２３内に位置する有機蒸気トラップフィルタ２９をさらに具える。有機蒸気トラップフィルタ２９は、好ましくは、出力バルブ２４とフィルタユニット２８との間に配置され、接着剤、エラストマシール、および筺体３の構造に使用するプラスチック材料などの材料から放出された有機蒸気を捕捉する手段を提供する。
【００５９】
第３のバルブ３０を、導管２３内に配置することができる。第３のバルブ３０は、不活性ガス供給源（図示せず）を導管２３に接続する手段を提供するのに使用できる。その結果、パージガス（例えば窒素ガス）を筐体３の内部容積７に導入する手段を提供する。
【００６０】
パージシステム１ｂが、出力バルブ２４および入力バルブ２５を閉じて、ポンプ２６を停止させることにより、受動動作モードで作動可能なことは、当業者には自明である。
【００６１】
さらなる例として、図５に、図１および図２のパージシステム１を含む代替的なレーザシステム３１の平面図を示す。この実施形態では、レーザシステム３１は、第１のミラー３３、第２のミラー３４、第３のミラー３５、および出力カプラ３６によって画定された実質的にボウタイリングキャビティの形状を示す光場増強キャビティ３２を具えている。これらはすべて機械的に安定した光キャビティ３１内に配置されている。非線形結晶３７が、共振器３１内の第３のミラー３５と出力カプラ３６との間に配置されている。非線形結晶３７は、非線形結晶３７により強化される光入力ビーム３８によって、第１のミラー１６を介して光学的にポンピングされる。非線形結晶３７および光ポンプビーム３８が、当該分野において知られている非線形結晶３７と光ポンプビーム３８の数々の組み合わせから選択できることは当業者には自明である。
【００６２】
また、当業者には知られているように、光キャビティ３１は、光学部品をさらに具えていてもよい。
【００６３】
上述したパージシステムは、当該分野で知られているシステムよりも多くの利点を示す。第１の例では、乾燥剤の乾燥手順を完了するのに必要とされるレーザシステムの動作不能時間を大幅に短縮する。さらに、ここに記載したパージシステムは、必要に応じて乾燥剤の交換を容易にし、不慣れなオペレータが、うっかりと周辺雰囲気に共振器を収容する筐体を露出させるリスクを低減する。
【００６４】
上述のパージシステムの第２の利点は、作動用に専用ポンプを必要としないことである。これは、この装置を組み込んだレーザシステムの操作および製造における複雑さおよび全体的なコストを低減する。さらに、ポンプを持たないことによって、レーザシステム２に誘発される光ノイズが低減される。
【００６５】
このようなシステムのコストは、有機蒸気捕捉材料、閉ループ内の粒状物質フィルタ、または乾燥剤を乾燥させる別個の一体化システムの組み込みをもはや必要としないという事実により、さらに低減される。
【００６６】
レーザシステムのパージシステムが記載されている。このパージシステムは、乾燥剤を収容し、レーザシステムの筺体に取外し可能に取り付けるように構成したカートリッジを具える。このカートリッジは、カートリッジ内に収容された乾燥剤に流体が流れる手段を提供する第１のメッシュ層を具える。パージシステムは、第１のメッシュ層の上に配置された膜をさらに具える。したがって、このパージシステムは、レーザシステムを受動的にパージする手段を提供し、その動作はポンプの使用を必要としない。さらに、取外し可能なカートリッジを使用することで、乾燥剤を乾燥または交換するのに必要な期間に、配置されているレーザシステムの動作不能時間を短縮するという利点がある。
【００６７】
本明細書を通して、文脈が他のことを要求しない限り、用語「具える（ｃｏｍｐｒｉｓｅ）」または「含む（ｉｎｃｌｕｄｅ）」、または「具える（ｃｏｍｐｒｉｓｅｓ）」または「具えている（ｃｏｍｐｒｉｓｉｎｇ）」、「含む（ｉｎｃｌｕｄｅｓ）」または「含んでいる（ｉｎｃｌｕｄｉｎｇ）」などの変形は、記載された整数または整数のグループを包含することを意図するが、その他の整数または整数のグループを除外するものではないことは理解されるだろう。
【００６８】
さらに、説明中の任意の先行技術への言及は、先行技術が共通の一般知識の一部を形成することを示すと解釈するべきではない。
【００６９】
本発明の前述の説明は、例示および説明のために提示されたものであり、網羅的であること、または本発明を開示された正確な形態に限定することを意図するものではない。記載された実施形態は、本発明の原理およびその実用的適用を最も良く説明するために選択および記載されており、それにより、当業者が様々な実施形態において、また意図された特定の用途に適した様々な変更をもって本発明を最も有効に利用できるようにしている。したがって、添付の特許請求の範囲によって規定される本発明の範囲から逸脱することなく、さらなる変更または改良を組み込むことができる。
【図１】
2018525824.tif 000003
【図２】
2018525824.tif 000004
【図３】
2018525824.tif 000005
【図４】
2018525824.tif 000006
【図５】
2018525824.tif 000007
【国際調査報告】
2018525824.tif 000008
2018525824.tif 000009
2018525824.tif 000010